(57)【特許請求の範囲】
【請求項１】
排気ガスを浄化するための触媒を有するディーゼルエンジンのエンジン制御システムであって、
前記排気ガスの温度を取得する排気温度取得部と、
前記触媒の温度を取得する触媒温度取得部と、
前記ディーゼルエンジンの回転数を制御する制御部と、
を備え、
前記制御部は、
前記排気温度取得部で取得された前記排気ガスの温度が、前記触媒温度取得部で取得された前記触媒の温度よりも高いか否かを判断し、
前記排気ガスの温度が前記触媒の温度よりも高い場合に、前記ディーゼルエンジンのアイドル回転数を現在のアイドル回転数よりも上昇させるように目標アイドル回転数を設定し、
前記排気ガスの温度が前記触媒の温度以下の場合に、前記ディーゼルエンジンのアイドル回転数を現在のアイドル回転数よりも減少させるように目標アイドル回転数を設定し、
設定された前記目標アイドル回転数に基づいて、前記ディーゼルエンジンのアイドル回転数を制御することを特徴とするエンジン制御システム。
【請求項２】
前記ディーゼルエンジンの冷却水の温度を取得する冷却水温度取得部をさらに備え、
前記制御部は、前記排気ガスの温度および前記触媒の温度の少なくともいずれか一方と、前記冷却水の温度とに基づいて、前記アイドル回転数の増減量を決定する請求項１に記載のエンジン制御システム。
【請求項３】
前記ディーゼルエンジンの回転数を取得する回転数取得部をさらに備え、
前記制御部は、前記回転数と前記冷却水の温度とに基づいて徐変係数を決定し、前記増減量に前記徐変係数を乗じた値を、現在の前記アイドル回転数に加算または減算することで前記目標アイドル回転数を演算する請求項２に記載のエンジン制御システム。
【請求項４】
前記制御部は、前記アイドル回転数が前記ディーゼルエンジンを共振させる共振域にあるときの前記徐変係数を、共振域にないときに比べ大きな値に設定する請求項３に記載のエンジン制御システム。
【請求項５】
前記制御部は、前記目標アイドル回転数が所定の最大アイドル回転数よりも高い場合に、前記目標アイドル回転数を前記最大アイドル回転数に設定する請求項１ないし４のいずれか１項に記載のエンジン制御システム。
【請求項６】
前記制御部は、前記目標アイドル回転数が所定の最小アイドル回転数よりも低い場合に、前記目標アイドル回転数を前記最小アイドル回転数に設定する請求項１ないし５のいずれか１項に記載のエンジン制御システム。
【発明の詳細な説明】
【技術分野】
【０００１】
本発明は、排気ガスを浄化するための触媒を有するディーゼルエンジンのエンジン制御システムに関する。
【背景技術】
【０００２】
ディーゼルエンジンには、通常、排気ガスを浄化するための触媒が設けられる。このような触媒は、一定の温度以上にならないと浄化機能を発揮しないため、ディーゼルエンジンの始動時に、触媒の温度を上昇させるための暖機運転が行われることがある。例えば特許文献１には、ディーゼルエンジンの始動直後に通常の運転時よりエネルギーの高い排気ガスを触媒に流し、続いて、通常の運転時より温度の高い排気ガスを触媒に流すことで、触媒を迅速に活性化するとともに、触媒の活性状態を維持する技術が開示されている。
【先行技術文献】
【特許文献】
【０００３】
【特許文献１】特開２００４−２４５１３３号公報
【発明の概要】
【発明が解決しようとする課題】
【０００４】
ここで、排気ガスの温度が触媒の温度よりも高い場合には、排気ガスによって触媒を昇温させることができるが、逆の場合には、排気ガスによって触媒の温度を上昇させることができない。しかしながら、特許文献１では、暖機運転時に排気ガスのエネルギーや温度を、通常の運転時に比べて高くしているというだけであり、排気ガスの温度と触媒の温度との大小関係を監視することについては特に言及されていない。したがって、特許文献１の技術によれば、排気ガスの温度と触媒の温度との大小関係によっては、無駄に燃料を消費するだけで、効率的に触媒の温度を高くすることができないおそれがあった。
【０００５】
本発明は、上記問題に鑑みてなされたものであり、排気ガスを浄化するための触媒を有するディーゼルエンジンのエンジン制御システムにおいて、燃料の消費を抑えつつ、触媒の温度を効率的に上昇させることを目的とする。
【課題を解決するための手段】
【０００６】
本発明は、排気ガスを浄化するための触媒を有するディーゼルエンジンのエンジン制御システムであって、前記排気ガスの温度を取得する排気温度取得部と、前記触媒の温度を取得する触媒温度取得部と、前記ディーゼルエンジンの回転数を制御する制御部と、を備え、前記制御部は、前記排気ガスの温度が前記触媒の温度よりも高い場合に、前記ディーゼルエンジンのアイドル回転数を上昇させることを特徴とする。
【発明の効果】
【０００７】
本発明によれば、排気ガスの温度が触媒の温度よりも高い場合、つまり、排気ガスによって確実に触媒の温度を上昇させることができる場合に、ディーゼルエンジンのアイドル回転数を上昇させるように制御が行われる。このように、排気ガスによって触媒を昇温させることができる状態のときに、アイドル回転数を上昇させて排気ガスの温度をさらに高めることにより、触媒を早く昇温させることができる。したがって、本発明によれば、燃料の消費を抑えつつ、触媒の温度を効率的に上昇させることが可能となる。
【図面の簡単な説明】
【０００８】
【図１】本実施形態にかかるエンジン制御システムの一例を示す模式図である。
【図２】暖機運転制御の流れを示すフローチャートである。
【図３】暖機運転制御によるアイドル回転数の推移の一例を示すグラフである。
【図４】アジャスト量および徐変係数を決定するためのマップの一例である。
【発明を実施するための形態】
【０００９】
（エンジン制御システムの概略構成）
以下、図面を参照しつつ、本発明にかかるエンジン制御システムの実施形態について説明する。図１は、本実施形態にかかるエンジン制御システムの一例を示す模式図である。制御対象となるディーゼルエンジン１０は、燃焼室１１に空気を供給する吸気管１２、燃焼室１１に燃料を噴射する燃料噴射装置１３、燃焼室１１から排気ガスを排出する排気管１４、排気ガスを浄化するため、排気管１４に配置された触媒１５等を有して構成される。
【００１０】
ディーゼルエンジン１０を制御するエンジン制御システム２０は、制御部２１、記憶部２２、排気ガスの温度（以下、「排気温度」という）を検出する排気温度検出部２３、触媒１５の温度（以下、「触媒温度」という）を検出する触媒温度検出部２４、ディーゼルエンジン１０の冷却水の温度（以下、「冷却水温度」という）を検出する冷却水温度検出部２５、ディーゼルエンジン１０の回転数（以下、「エンジン回転数」という）を検出する回転数検出部２６等を有して構成される。なお、排気温度検出部２３は、排気ガスの流れ方向において、触媒１５よりも上流側に設けられているものとする。
【００１１】
制御部２１には、排気温度検出部２３から出力された排気温度、触媒温度検出部２４から出力された触媒温度、冷却水温度検出部２５から出力された冷却水温度、および回転数検出部２６から出力されたエンジン回転数が、それぞれ入力される。記憶部２２には、後述する暖機運転制御に関する制御プログラムや、暖機運転制御に用いられる各種パラメータ等が記憶されている。
【００１２】
制御部２１は、各検出部２３〜２６による検出値や記憶部２２に格納されている各種パラメータ等を用いて、ディーゼルエンジン１０のアイドル回転数を制御する暖機運転制御を実行する。なお、制御部２１による暖機運転制御は、ディーゼルエンジン１０の始動直後（車両走行前）だけではなく、車両走行開始後であっても、触媒１５が十分に活性していない場合には、車両停止時に適宜実行され得る。
【００１３】
（暖機運転制御）
図２は、暖機運転制御の流れを示すフローチャートであり、図３は、暖機運転制御によるアイドル回転数の推移の一例を示すグラフである。制御部２１は、まず、排気温度検出部２３で検出された排気温度が、触媒温度検出部２４で検出された触媒温度よりも高いか否かを判断する（ステップＳ１０１）。その結果、排気温度のほうが高い場合には、アイドル回転数を現在のアイドル回転数よりも上昇させるべく、次式（１）により目標アイドル回転数を演算する（ステップＳ１０２）。
目標アイドル回転数＝現在のアイドル回転数＋（アジャスト量×徐変係数）…（１）
【００１４】
ここで、「アジャスト量」とは、現在のアイドル回転数に対してどれだけアイドル回転数を上昇あるいは減少させるかという増減量に相当するものである。記憶部２２には、アジャスト量を決定するためのマップ（図４のａ図参照）が格納されている。アジャスト量は、排気温度検出部２３で検出された排気温度（または触媒温度検出部２４で検出された触媒温度）と、冷却水温度検出部２５によって検出された冷却水温度とに基づいて決定される。例えば、排気温度（または触媒温度）が低く、冷却水温度が低い場合には、できるだけ迅速にアイドル回転数を上昇させるべく、アジャスト量は比較的大きな値に設定されている。一方、排気温度（または触媒温度）が高く、冷却水温度が高い場合には、迅速にアイドル回転数を上昇させる必要性は低いので、アジャスト量は比較的小さな値に設定されている。
【００１５】
また、式（１）における「徐変係数」とは、上記アジャスト量だけアイドル回転数を増減させる際に、１回のルーティンでどれだけアイドル回転数を増減させるかに関するパラメータである。記憶部２２には、徐変係数を決定するためのマップ（図４のｂ図参照）が格納されている。徐変係数は、回転数検出部２６で検出されたエンジン回転数と、冷却水温度検出部２５によって検出された冷却水温度とに基づいて決定される。徐変係数は、基本的に０以上１未満の数値であり、徐変係数が小さいほど１回のルーティンにおけるアイドル回転数の増減量は小さくなり、徐変係数が大きいほど１回のルーティンにおけるアイドル回転数の増減量は大きくなる。例えば、アジャスト量が５００ｒｐｍで、徐変係数が０．１の場合には、５０ｒｐｍが１回のルーティンでのアイドル回転数の増減量となる。
【００１６】
ここで、一般的に、エンジン回転数には、ディーゼルエンジン１０を共振させるおそれのある共振域が存在する。エンジン回転数が共振域内の値であると、ディーゼルエンジン１０の振動が大きくなり、乗員に違和感や不快感を感じさせる要因となる。よって、エンジン回転数を上昇または減少させる際、共振域においてはエンジン回転数の増減量を大きくし、できるだけ素早く共振域を脱することが好ましい。そこで、本実施形態では、エンジン回転数が共振域にあるときの徐変係数を、比較的大きな値としている。
【００１７】
次に、ステップＳ１０２で求めた目標アイドル回転数が、最大アイドル回転数よりも大きいか否かを判断する（ステップＳ１０３）。この最大アイドル回転数とは、暖機運転時におけるアイドル回転数の上限値であり、ディーゼルエンジン１０の信頼性や乗員の乗り心地等を勘案して、予め設定されている。目標アイドル回転数が最大アイドル回転数よりも大きい場合には、最大アイドル回転数が目標アイドル回転数として設定される（ステップＳ１０４）。一方、目標アイドル回転数が最大アイドル回転数以下の場合には、目標アイドル回転数はステップＳ１０２で求めた値に維持される（ステップＳ１０５）。
【００１８】
目標アイドル回転数が決まると、制御部２１は、エンジン回転数を目標アイドル回転数とするべく、ＩＳＣ制御（アイドル回転数制御）を実行する（ステップＳ１０６）。ＩＳＣ制御とは、燃料噴射装置１３からの燃料噴射量を制御することによって、エンジン回転数を制御する制御方法である。
【００１９】
このように、排気温度が触媒温度よりも高い場合、ステップＳ１０２〜Ｓ１０６が実行される結果、図３に示すように、アイドル回転数は徐々に上昇する。なお、前述のように、アイドル回転数が共振域の場合の徐変係数を大きくすることにより、１回のルーティンでの上昇量が大きくなり、共振域を素早く脱することができる。このため、ディーゼルエンジン１０の振動の影響を最小限にし、乗員の乗り心地を向上させることができる。
【００２０】
ディーゼルエンジン１０の始動直後は、一般的に、筒内温度がまず最初に上昇するため、ステップＳ１０１の判断は「ＹＥＳ」となり、アイドル回転数は上昇することになる。しかしながら、ある程度、触媒温度が高くなってくると、触媒が活性化することで触媒自身が発熱するようになり、そのうちに排気温度よりも触媒温度のほうが高くなる。そうなると、排気ガスによって触媒の温度を上昇させることはできず、アイドル回転数を上昇させることは燃料の無駄となるおそれがある。
【００２１】
そこで、排気温度が触媒温度以下となった場合、すなわちステップＳ１０１にて「ＮＯ」の判断がなされた場合は、アイドル回転数を現在のアイドル回転数よりも減少させるべく、次式（２）により目標アイドル回転数を演算する（ステップＳ１０７）。なお、本実施形態では、式（２）におけるアジャスト量および徐変係数は、式（１）におけるアジャスト量および徐変係数と同じであり、ともに図４のマップから求められるものとする。
目標アイドル回転数＝現在のアイドル回転数−（アジャスト量×徐変係数）…（２）
【００２２】
次に、ステップＳ１０７で求めた目標アイドル回転数が、最小アイドル回転数よりも小さいか否かを判断する（ステップＳ１０８）。この最小アイドル回転数とは、暖機運転時におけるアイドル回転数の下限値であり、耐エンスト性等を勘案して、予め設定されている。目標アイドル回転数が最小アイドル回転数よりも小さい場合には、最小アイドル回転数が目標アイドル回転数として設定される（ステップＳ１０９）。一方、目標アイドル回転数が最小アイドル回転数以上の場合には、目標アイドル回転数はステップＳ１０７で求めた値に維持される（ステップＳ１１０）。
【００２３】
目標アイドル回転数が決まると、制御部２１は、エンジン回転数を目標アイドル回転数とするべく、ＩＳＣ制御を実行する（ステップＳ１０６）。
【００２４】
このように、排気温度が触媒温度以下の場合、ステップＳ１０７〜Ｓ１１０、Ｓ１０６が実行される結果、図３に示すように、アイドル回転数は徐々に減少する。なお、アイドル回転数の上昇時と同様に、アイドル回転数の減少時においても、アイドル回転数が共振域の場合の徐変係数を大きくすることにより、１回のルーティンでの減少量が大きくなり、共振域を素早く脱することができる。このため、ディーゼルエンジン１０の振動の影響を最小限にし、乗員の乗り心地を向上させることができる。
【００２５】
なお、一旦、触媒温度が排気温度より高くなったとしても、例えば触媒１５が劣化している場合等は、触媒温度が低くなり、再び排気温度が触媒温度よりも高くなる可能性がある。この場合には、制御部２１が、再びステップＳ１０１で「ＹＥＳ」と判断し、ステップＳ１０２〜Ｓ１０６を実行することで、触媒温度を効率的に上昇させることができる。
【００２６】
（効果）
以上のように、本実施形態によれば、制御部２１は、排気温度が触媒温度よりも高い場合に、ディーゼルエンジン１０のアイドル回転数を上昇させるように構成されている。このように、排気ガスによって触媒１５を昇温させることができる状態のときに、アイドル回転数を上昇させて排気ガスの温度をさらに高めることにより、触媒１５を早く昇温させることができる。したがって、燃料の消費を抑えつつ、触媒１５の温度を効率的に上昇させることが可能となる。
【００２７】
また、排気温度が触媒温度以下の場合には、排気ガスによって触媒１５を昇温させることはできず、アイドル回転数を上昇させても、燃料の無駄となってしまうおそれが高い。そこで、本実施形態では、制御部２１は、排気温度が触媒温度以下の場合に、ディーゼルエンジン１０のアイドル回転数を減少させるように構成されている。したがって、燃費をさらに向上させることができる。
【００２８】
また、本実施形態では、制御部２１は、排気温度（または触媒温度）と冷却水温度とに基づいて、アイドル回転数の増減量（アジャスト量）を決定している。このため、排気温度（または触媒温度）や冷却水温度に応じて、アイドル回転数のきめ細やかな制御が可能となる。例えば、排気温度（または触媒温度）や冷却水温度が低く、アイドル回転数の迅速な上昇が望まれるといった場合には、増減量を大きくすることができる。また、排気温度（または触媒温度）や冷却水温度が高く、アイドル回転数を上昇させる必要性が低い場合には、増減量を小さくすることができる。
【００２９】
さらに、本実施形態では、制御部２１は、エンジン回転数と冷却水温度とに基づいて徐変係数を決定し、増減量（アジャスト量）に徐変係数を乗じた値を、現在のアイドル回転数に加算または減算することで目標アイドル回転数を演算している。このように、徐変係数を導入することで、アイドル回転数の急激な変化を避け、徐々に変化させることができるので、乗員に違和感や不快感を与えてしまうことを回避できる。特に、上述のように、アイドル回転数が共振域にある場合の徐変係数を大きくすることで、ディーゼルエンジン１０の振動の影響を抑えることができるので、乗員の乗り心地を向上させることができる。
【００３０】
また、本実施形態では、制御部２１は、目標アイドル回転数が所定の最大アイドル回転数よりも高い場合に、目標アイドル回転数を最大アイドル回転数に設定する。このため、アイドル回転数が最大アイドル回転数を超えてしまうことを回避でき、ディーゼルエンジン１０の信頼性を確保し、乗員の乗り心地等を向上させることができる。
【００３１】
また、本実施形態では、制御部２１は、目標アイドル回転数が所定の最小アイドル回転数よりも低い場合に、目標アイドル回転数を最小アイドル回転数に設定する。このため、アイドル回転数が最小アイドル回転数よりも低くなることを回避でき、ディーゼルエンジン１０の耐エンスト性等を向上させることができる。
【００３２】
［他の実施形態］
なお、本発明は上記実施形態に限定されるものではなく、その趣旨を逸脱しない限りにおいて上記実施形態の要素を適宜組み合わせまたは種々の変更を加えることが可能である。
【００３３】
例えば、上記実施形態では、排気温度、触媒温度、冷却水温度およびエンジン回転数として、それぞれ各検出部２３〜２６による検出値を用いるものとした。しかしながら、これらの物理量は、必ずしも実際の検出値である必要はなく、所定の条件から推定した推定値であってもよい。例えば、排気温度は、外気温、吸気量、燃料噴射量および排気系の熱容量等から推定することが可能である。
【００３４】
また、上記実施形態では、アジャスト量や徐変量をマップ形式で用意するものとしたが、アジャスト量や徐変量を求めるための数式を用意してもよい。
【００３５】
また、上記実施形態では、アイドル回転数の上昇時および減少時において、同じマップによりアジャスト量や徐変量を求めるものとしたが、アイドル回転数の上昇時と減少時とで、別々のマップを用意するものとしてもよい。
【００３６】
また、図４にアジャスト量および徐変量の一般的な大小関係の傾向を示したが、アジャスト量および徐変量は、図４に示したもの以外の大小関係の傾向を有していてもよい。
【符号の説明】
【００３７】
１０：ディーゼルエンジン
１５：触媒
２０：エンジン制御システム
２１：制御部
２３：排気温度検出部（排気温度取得部）
２４：触媒温度検出部（触媒温度取得部）
２５：冷却水温度検出部（冷却水温度取得部）
２６：回転数検出部（回転数取得部）
【図１】
0006398798.tif 000002
【図２】
0006398798.tif 000003
【図３】
0006398798.tif 000004
【図４】
0006398798.tif 000005